(57)【要約】【課題】パネルどうしを簡単に接合できるとともに、接合強度に優れ、接合部を見映えよく面一に仕上げることが可能な折畳みパネルを提供する。【解決手段】一対のパネル１１、１２の合い隣り合う表面端部１１１、１２１を接合部材２で折畳み可能に接合するとともに、第１パネル１１の接合部の裏面端部１１２の長さ方向に固定部材３をその一部を突出させて延設し、第２パネル１２を展開したとき、上記固定部材３の突出部３１が第２パネル１２の裏面端部１２２に接着手段４によって接着可能とされたことを特徴とする折畳みパネル１。【選択図】図１
2005124779.tif 000002
【特許請求の範囲】
【請求項１】
一対のパネルの合い隣り合う表面端部を接合部材で折畳み可能に接合するとともに、第１パネルの接合部の裏面端部の長さ方向に固定部材をその一部を突出させて延設し、第２パネルを展開したとき、上記固定部材の突出部が第２パネルの裏面端部に接着手段によって接着可能とされたことを特徴とする折畳みパネル。
【請求項２】
上記接合部材が粘着テープである請求項１に記載の折畳みパネル。
【請求項３】
上記接合部材の表面にさらに化粧用ジョイナが覆設された請求項１に記載の折畳みパネル。
【請求項４】
上記固定部材の幅方向の複数箇所に接着剤充填部が設けられた請求項１に記載の折畳みパネル。
【請求項５】
一対のパネルの合い隣り合う表面端部を接合部材で折畳み可能に接合するとともに、上記合い隣り合う第１パネルと第２パネルとの接合部の裏面端部の長さ方向にそれぞれ第１固定部材と第２固定部材とを延設して各固定部材の両端部に切り欠き部を設け、上記一対のパネルを展開したとき、上記切り欠き部が合一して実結合部を形成し、実結合材と結合可能とされたことを特徴とする折畳みパネル。
【発明の詳細な説明】
【技術分野】
【０００１】
本発明は、折畳みパネルに関する。さらに詳しくは、一対のパネルを折畳み可能とするとともに、展開したとき、収納用家具の背板等に使用できる折畳みパネルに関する。
【背景技術】
【０００２】
従来から、組立式物置や収納用家具等は、梱包や輸送時のコストを下げるため、構成部材一式をキットとしてできるだけ小さな荷姿で供給し、パネル、間柱等、種々の部材を使用現場で組み立てて完成品とすることが一般的に行なわれている。
【特許文献１】特開平９−１２５７１９号公報（第１−４頁、第１図）
【発明の開示】
【発明が解決しようとする課題】
【０００３】
上記した部材の中、嵩高いパネルの部分は、保管のスペースや梱包費がかかるため、また、輸送中の破損や変形等を避けるため、１枚のパネルを小さなサイズに分割し、施工現場で再度組み立てることが行なわれている。しかしながら、分割したパネルを再度組み立てるには手間がかかり、また、組み立て後も、荷重がかかると接合部が外れたり、撓みが生じるという問題がある。さらに組み立てたパネルの接合部を見映えよく面一とするには、熟練を要するという問題もある。本発明は、このような問題を解決して、パネルどうしを簡単に接合できるとともに、接合強度に優れ、接合部を見映えよく面一に仕上げることが可能な折畳みパネルを提供することをその課題とする。
【課題を解決するための手段】
【０００４】
上記課題を解決するために本発明においては、つぎのような技術的手段を講じている。すなわち、本願第一発明によれば、一対のパネルの合い隣り合う表面端部を接合部材で折畳み可能に接合するとともに、第１パネルの接合部の裏面端部の長さ方向に固定部材をその一部を突出させて延設し、第２パネルを展開したとき、上記固定部材の突出部が第２パネルの裏面端部に接着手段によって接着可能とされたことを特徴とする折畳みパネルが提供される。
【０００５】
上記接合部材を粘着テープとすることが好ましい。さらに、上記接合部材の表面を化粧用ジョイナで覆設することが好ましい。また、上記固定部材の幅方向の複数箇所に接着剤充填部が設けられることが好ましい。
【０００６】
本願第二発明によれば、一対のパネルの合い隣り合う表面端部を接合部材で折畳み可能に接合するとともに、上記合い隣り合う第１パネルと第２パネルとの接合部の裏面端部の長さ方向にそれぞれ第１固定部材と第２固定部材とを延設して各固定部材の両端部に切り欠き部を設け、上記一対のパネルを展開したとき、上記切り欠き部が合一して実結合部を形成し、実結合材と結合可能とされたことを特徴とする折畳みパネルが提供される。
【発明の効果】
【０００７】
請求項１に記載の第一発明は上記のとおりであり、とくに、第２パネルを展開したとき、上記固定部材の突出部と第２パネルの裏面端部とが接着手段によって接着可能とされているため、両面粘着テープ、接着剤等を接着手段として用いることにより、第１パネルと第２パネルとをしっかりと接合することができる。
【０００８】
上記接合部材として粘着テープが用いられているため、第１パネルと第２パネルとが折り曲げ自在に接合され、第２パネルを容易に展開して組み立てることができる。
【０００９】
上記接合部材の表面にさらに化粧用ジョイナが覆設されているため、第１パネルと第２パネルとの接合部を目隠し、見映えよく接合することができる。
【００１０】
上記固定部材の幅方向の複数箇所に接着剤充填部が設けられているため、接着剤充填部に接着剤を充填し、接着することによって第１パネルと第２パネルとをさらにしっかりと接合することができる。
【００１１】
請求項５に記載の第二発明は上記のとおりであり、とくに、第１パネルと第２パネルとを展開したとき、第１固定部材と第２固定部材とに設けられた切り欠き部が合一して実結合部を形成し、実結合材と結合可能とされているため、上記実結合部に実結合材を嵌入し、緊合することにより、第１パネルと第２パネルとをしっかりと接合することができる。
【発明を実施するための最良の形態】
【００１２】
以下、第一発明、第二発明の実施形態について図面を参照して、実施例により詳細に説明する。
【実施例１】
【００１３】
図１は、第一発明にかかる折畳みパネル１を示す斜視図である。図１において、
上記折畳みパネル１は、厚さ約１ｍｍのポリプロピレンと木粉、無機フィラー等の混練成形品を複合してなる厚さ約３ｍｍ、幅４５０ｍｍ、長さ１８００ｍｍの第１パネル１１と第２パネル１２からなり、この一対のパネル１１、１２を展開したとき、合い隣り合う表面端部１１１、１２１は、接合部材２として用いた粘着テープによって接合されている。一方、第１パネル１１の上記表面端部１１１に対応する裏面端部１１２には、その長さ方向に沿って厚さ９ｍｍの合板からなる固定部材３がその長手方向一端縁部を突出部３１として突出させながら延設され、第２パネル１２を展開したとき、上記突出部３１と第２パネル１２の裏面端部１２２との接触面が両面粘着テープ、接着剤等、適当な接着手段４により固定される。符号６１、６２は、後記する接着剤充填部を示す。
【００１４】
図２は、第２パネル１２を展開し、第２パネル１２の裏面端部１２２と固定部材３の突出部３１とを上記接着手段４により接着した状態を示す斜視図である。図３は、上記折畳みパネル１において接合部材２として用いた粘着テープの表面に化粧用ジョイナ５を覆設した状態を示す斜視図である。図３からよくわかるように、平面視Ｔ字型の化粧用ジョイナ５の挿入部を上記粘着テープに貫入して覆設することにより、接合部が目隠しされ、見映えよく第１パネルと第２パネルとを接合することができる。
【００１５】
実施例１においては、さらに、固定部材３の両端部の幅方向に接着剤充填部６１、６２が設けられている。上記第２パネル１２の裏面端部１２２と固定部材３の突出部３１とを接着手段４により接着するとともに、接着剤充填部６１、６２に接着剤を充填し、接着することによって第１パネル１１と第２パネル１２がしっかりと接合され、収納用家具の背板等に使用することができる。
【実施例２】
【００１６】
図４は、第二発明にかかる折り畳みパネル７を示す斜視図である。図４において、上記折畳みパネル７は、厚さ約１ｍｍのポリプロピレンと木粉、無機フィラー等の混練成形品を複合してなる厚さ約３ｍｍ、幅４５０ｍｍ、長さ１８００ｍｍの第１パネル７１と第２パネル７２とからなり、この一対のパネル７１、７２を展開したとき、合い隣り合う表面端部７１１と７２１とは接合部材２として用いた粘着テープによって接合されている。一方、上記第１パネル７１と第２パネル７２の裏面端部７１２、７２２には、その長さ方向に沿ってそれぞれ第１固定部材８１と第２固定部材８２とが延設され、各固定部材８１と８２の両端部には、実結合部を形成するように切り欠き部８１１と８２１および８１２と８２２とが設けられている。
【００１７】
図５は、第１パネル７１と第２パネル７２とを展開し、上記切り欠き部８１１と８２１とが合一して実結合部が形成され、実結合材８３と結合可能とされた状態を示す斜視図である。図５に示す矢印方向に実結合材８３を嵌入し、緊合することによって第１パネル７１と第２パネル７２とがしっかりと接合される。
【００１８】
図６は実施例２における実結合部の変形例を示す斜視図である。図６からよくわかるように、第１固定部材９１の端部に設けられたテーパ状凹部９１１と第２固定部材９２の端部に設けられたテーパ状凹部９２１とが合一して実結合部を形成し、図６に示す実結合材９３を嵌入し、緊合することによって第１パネル７１と第２パネル７２とがしっかりと接合され、収納用家具の背板等に使用することができる。
【図面の簡単な説明】
【００１９】
【図１】第一発明にかかる折畳みパネルを示す斜視図である。
【図２】上記折畳みパネルを展開した状態を示す斜視図である。
【図３】上記折畳みパネルにおいて接合部材の表面に化粧用ジョイナを覆設した状態を示す斜視図である。
【図４】第二発明にかかる折畳みパネルを示す斜視図である。
【図５】上記折畳みパネルを展開し実結合部を形成した状態を示す斜視図である。
【図６】図５に示す折畳みパネルの実結合部の変形例を示す斜視図である。
【符号の説明】
【００２０】
１          第一発明にかかる折畳みパネル
１１        第１パネル
１１１      上記表面端部
１１２      上記裏面端部
１２        第２パネル
１２１      上記表面端部
１２２      上記裏面端部
２          接合部材
３          固定部材
３１        上記突出部
４          接着手段
５          化粧ジョイナ
６１、６２  接着剤充填部
７          第二発明にかかる折畳みパネル
７１        第１パネル
７１１      上記表面端部
７１２      上記裏面端部
７２        第２パネル
７２１      上記表面端部
７２２      上記裏面端部
８１        第１固定部材
８１１      上記に設けられた切り欠き部
８１２      上記に設けられた切り欠き部
８２        第２固定部材
８２１      上記に設けられた切り欠き部
８２２      上記に設けられた切り欠き部
８３        実結合材
９１        第１固定部材
９１１      上記に設けられたテーパ状凹部
９２        第２固定部材
９２１      上記に設けられたテーパ状凹部
９３        実結合材
【図１】
2005124779.tif 000003
【図２】
2005124779.tif 000004
【図３】
2005124779.tif 000005
【図４】
2005124779.tif 000006
【図５】
2005124779.tif 000007
【図６】
2005124779.tif 000008